(57)【要約】【課題】双方向露光による連写撮影画像の表示の際の違和感を無くすことを可能にした撮像装置を提供すること。【解決手段】被写体の光学像を受光して画像データを出力する撮像部と、出力した画像データを保存する記憶部と、出力した画像データを表示する表示部と、前記表示部に画像データを表示させる表示制御部と、開口と前記開口を開閉する事で前記撮像部への露光を制御する２つの羽根群を備え、前記開口を第一の方向に走行することで露光を行う第一の撮像方式と、前記開口を前記第一の方向とは逆の第二の方向に走行することで露光を行う第二の撮像方式と、を交互に繰り返すことで連続撮影を行う事が出来るシャッタ装置と、を有し、画像データを前記表示部で表示する際に、連続撮影の画像データの場合には、片方の撮像方式の画像データのみを使って表示を行うことを特徴とする。【選択図】図７
2020030258.tif 000002
【特許請求の範囲】
【請求項１】
被写体の光学像を受光して画像データを出力する撮像部（２０３）と、
出力した画像データを保存する記憶部（２１２）と、
出力した画像データを表示する表示部（２１３）と、
前記表示部への画像データの表示を制御する表示制御部（２１６）と、
開口と前記開口を開閉する事で前記撮像部への露光を制御する２つの羽根群（４、５）を備え、前記開口を第一の方向に走行することで露光を行う第一の撮像方式と、前記開口を前記第一の方向とは逆の第二の方向に走行することで露光を行う第二の撮像方式と、を交互に繰り返すことで連続撮影を行う事が出来るシャッタ装置（２０２）と、
を有し、画像データを前記表示部で表示する際に、連続撮影の画像データの場合には、片方の撮像方式の画像データのみを使って表示を行うことを特徴とする撮像装置（２００）。
【請求項２】
画面内の被写体の移動速度を検出して、所定値以上である場合にだけ、片方の撮像方式の画像データのみを使って前記表示部での表示を行うことを特徴とする請求項１に記載の撮像装置。
【請求項３】
被写体の光学像を受光して被写体の移動速度を検出できる検出部を有し、前記検出部を用いて画面内の被写体の移動速度が所定値以上であるかを判断することを特徴とする請求項１又は請求項２に記載の撮像装置。
【請求項４】
前記記憶部に保存された連続撮影の画像データを用いて、画面内の被写体の移動速度が所定値以上であるかを判断することを特徴とする請求項１又は請求項２に記載の撮像装置。
【請求項５】
前記記憶部へ画像データを保存する際に、前記２つの撮像方式のどちらで撮影された画像データかによって、保存フォルダを分けることを特徴とする請求項１乃至請求項４の何れか一項に記載の撮像装置。
【請求項６】
前記記憶部へ画像データを保存する際に、前記２つの撮像方式のどちらで撮影された画像データかの情報を、画像データに付加することを特徴とする請求項１乃至請求項５の何れか一項に記載の撮像装置。
【請求項７】
前記表示部での表示を片方の撮像方式の画像データのみを使って行うかどうかを、ユーザーが任意に設定できることを特徴とする請求項１乃至請求項６の何れか一項に記載の撮像装置。
【発明の詳細な説明】
【技術分野】
【０００１】
本発明は、撮像装置に関し、特に双方向露光による撮影を行う撮像装置に関する。
【背景技術】
【０００２】
連写駒速の向上のため、往復で双方向の羽根走行が可能なシャッタ装置を用いる撮像装置が提案されている。双方向のシャッタ装置では、上から下への羽根走行と、下から上への羽根走行と、を交互に繰り返して撮影動作を行う事で、高速の連写駒速を達成するという構成になっている。
【０００３】
しかしながら、上記２つの羽根走行では、いわゆるコンニャク現象と呼ばれるスリット露光に起因する被写体歪みの影響が反対方向になるため、連続撮影で撮影した画像をユーザーが一枚ずつ送って確認した時に、違和感を覚えてしまう、という問題があった。
【０００４】
特許文献１には、連続撮影によって撮影された撮影画像のうち、状態が良い撮影画像を選別して保存することが開示されている。
【先行技術文献】
【特許文献】
【０００５】
【特許文献１】特許第０５８４８９３２号公報
【発明の概要】
【発明が解決しようとする課題】
【０００６】
しかしながら、上述の特許文献１に開示された撮影画像の選別手段によると、シャッタ装置の羽根走行方に基づいて保存を行うわけではないので、保存される画像の羽根走行方向はバラバラとなり、撮影画像の表示の際のコンニャク現象による違和感は無くならないという問題がある。
【０００７】
そこで、本発明の目的は、双方向露光による連写撮影画像の表示の際の違和感を無くすことを可能にした撮像装置を提供することにある。
【課題を解決するための手段】
【０００８】
上記の目的を達成するために、本発明に係る撮像装置は、被写体の光学像を受光して画像データを出力する撮像部と、出力した画像データを保存する記憶部と、出力した画像データを表示する表示部と、前記表示部に画像データを表示させる表示制御部と、開口と前記開口を開閉する事で前記撮像部への露光を制御する２つの羽根群を備え、前記開口を第一の方向に走行することで露光を行う第一の撮像方式と、前記開口を前記第一の方向とは逆の第二の方向に走行することで露光を行う第二の撮像方式と、を交互に繰り返すことで連続撮影を行う事が出来るシャッタ装置と、を有し、画像データを前記表示部で表示する際に、連続撮影の画像データの場合には、片方の撮像方式の画像データのみを使って表示を行うことを特徴とする。
【発明の効果】
【０００９】
本発明によれば、双方向露光による連写撮影画像の表示の際の違和感を無くすことを可能にした撮像装置の提供を実現できる。
【図面の簡単な説明】
【００１０】
【図１】本実施の形態に係わる撮像装置２００のブロック図である。
【図２（ａ）】本実施の形態に係わるシャッタ装置２０２の分解斜視図である。
【図２（ｂ）】本実施の形態に係わるシャッタ装置２０２の分解斜視図である。
【図３】本実施の形態に係わる撮像装置の通常撮影における、第一羽根群４と第二羽根群５による１コマ目と２コマ目撮影時の信号と構成部品の作動タイミングを示す図である。
【図４（ａ）】本実施の形態に係わる撮像装置の電子先幕と羽根群の関係を示す正面図である。
【図４（ｂ）】本実施の形態に係わる撮像装置の電子先幕と羽根群の関係を示す正面図である。
【図５】本実施の形態に係わる撮像装置の、第一羽根群および第二羽根群の走行パターンと電子先幕の走査パターンを示す図である。
【図６】本実施の形態に係わる撮像装置の電子先幕撮影における、第一羽根群と第二羽根群による１コマ目と２コマ目撮影時の信号と構成部品の作動タイミングを示す図である。
【図７】本実施の形態に係わる撮像装置を用いて、横方向に移動する球体の被写体を撮影した時の画像ファイルを、表示部２１３に表示した様子を示す図である。
【発明を実施するための形態】
【００１１】
以下に、本発明の好ましい実施の形態を、添付の図面に基づいて詳細に説明する。
【実施例１】
【００１２】
図１は、撮像装置２００のブロック図である。撮像レンズ２０１（光学系）からの被写体光は撮像素子２０３に向かう。撮像素子２０３は、ＣＭＯＳイメージセンサ等が使用され、撮像レンズ２０１により結像された被写体像を光電変換する。
【００１３】
撮像素子２０３に対して物体側に配置されたシャッタ装置（以下、シャッタという）２０２は、第一羽根群４と第二羽根群５を備え、ＣＰＵ２０４によりシャッタ駆動回路２０５を介して駆動を制御される。レンズ制御手段２１５は、撮像レンズ２０１の焦点距離、絞り径、射出瞳径、射出瞳と撮像素子２０３との距離等のレンズ情報をＣＰＵ２０４に出力するとともに、ＣＰＵ２０４からの制御に応じて絞り、レンズ等を駆動する。
ＣＰＵ２０４は、信号処理回路２０９、垂直駆動変調回路２０８、シャッタ駆動回路２０５、レンズ制御手段２１５、表示制御部２１６、の制御および演算を行う。
【００１４】
シャッタ駆動回路２０５は、後述する第一コイルユニット３７、および、第二コイルユニット４７、とそれぞれ接続された、第一コンデンサ、および、第二コンデンサに対して、ＣＰＵ２０４の制御に基づいて充電と放電を行う。パルス発生回路２０７は、ＣＰＵ２０４の制御に基づいて、走査クロック（水平駆動パルス）や所定の制御パルスを撮像素子２０３へ供給する。パルス発生回路２０７で発生した走査クロックのうち垂直走査用のクロックは、垂直駆動変調回路２０８によって所定のクロック周波数に変調されて、撮像素子２０３に入力される。この垂直駆動変調回路２０８によって電子先幕としてのリセット走査の走査パターンが決定される。また、パルス発生回路２０７は、信号処理回路２０９にもクロック信号を出力する。
【００１５】
信号処理回路２０９は、撮像素子２０３から読み出された信号に対して所定の処理（色処理やガンマ補正等）を施すことにより画像データを生成する。記録部２１２は、信号処理回路２０９により処理された画像データを記録する。表示制御部２１６は、ＣＰＵ２０４の制御に基づいて、表示部２１３に撮影した画像や各種メニュー画面などを表示する。なお、表示部２１３には液晶ディスプレイ（ＬＣＤ）等が使用される。メモリ部であるＲＡＭ（Ｒａｎｄｏｍ  Ａｃｃｅｓｓ  Ｍｅｍｏｒｙ）２１４は、信号処理回路２０９に接続され、画像データなどを一時的に記憶する。
【００１６】
第一スイッチ２１０は撮影準備を開始するスイッチであり、第二スイッチ２１１は撮影を開始するスイッチである。第一スイッチ２１０と第二スイッチ２１１は、２段スイッチで形成されており、第一ストロークで第一スイッチ２１０がＯＮし、第二ストロークで第二スイッチ２１１がＯＮする。
【００１７】
本実施形態のシャッタ装置２０２について、図２を用いて説明する。シャッタ装置２０２は、羽根部、駆動部に分けられる。まず、羽根部について説明する。図２（ａ）は、シャッタ装置２０２を撮像素子２０３側から見た分解斜視図である。シャッタ地板１、仕切り板２、およびカバー板３の３つの板部材にはそれぞれ、類似した形状のアパチャ１ａ、２ａ、３ａが形成されており、これら３つのアパチャを重ね合わせた長方形の露光開口がシャッタを通過する光束を規定している。シャッタ地板１とカバー板３の間に仕切り板２を設けることで２つの羽根室を形成し、各羽根室内に第一羽根群４と第二羽根群５が配置される。第一羽根群４と第二羽根群５によって、露光開口が開閉される。
【００１８】
第一羽根群４は、２組の羽根アーム４ａ、４ｂと、４組の遮光羽根４ｄ、４ｅ、４ｆ、４ｇで構成される。羽根アーム４ａ、４ｂの一端は、補助地板７の軸７ｋ、７ｌに枢着されている。また、羽根アーム４ａ、４ｂの他端から軸支６を介して、遮光羽根４ｄ、４ｅ、４ｆ、４ｇに順次枢支されている。羽根アーム４ａには長孔４ｃが形成され、第一駆動部材８の駆動ピン８ｂは長孔４ｃと係合する。
【００１９】
第二羽根群５は、２組の羽根アーム５ａ、５ｂと、４組の遮光羽根５ｄ、５ｅ、５ｆ、５ｇで構成される。羽根アーム５ａ、５ｂの一端は、補助地板７の軸７ｍ、７ｎに枢着されている。また、羽根アーム５ａ、５ｂの他端から軸支６を介して、遮光羽根５ｄ、５ｅ、５ｆ、５ｇに順次枢支されている。羽根アーム５ａには長孔５ｃが形成され、第二駆動部材９の駆動ピン９ｂは長孔５ｃと係合する。
【００２０】
次に、駆動部について説明する。図２（ｂ）は、シャッタ装置２０２を被写体側から見た分解斜視図である。補助地板７は、シャッタ地板１にビスによって締結されている。補助地板７には、被写体側に複数の軸７ａ，７ｂ，７ｃ，７ｄ，７ｅ，７ｆが設けられている。
【００２１】
第一駆動部材８は、軸７ａに回転可能に取り付けられている。円形の永久磁石である第一マグネット３２は、第一駆動部材８の先端付近に固定され、第一ヨーク３６と光軸方向において略同一の位置に配置される。第一駆動部材８に設けられた第一駆動ピン８ｂは、シャッタ地板１と補助地板７とカバー板３の３組の長孔１ｅ，３ｂ，７ｈを貫通しつつ、羽根アーム４ａの長孔４ｃと係合する。
【００２２】
第二駆動部材９は、軸７ｂに回転可能に取り付けられている。円形の永久磁石である第二マグネット４２は、第二駆動部材９の先端付近に固定され、第二ヨーク４６と光軸方向において略同一の位置に配置される。第二駆動部材９に設けられた第二駆動ピン９ｂは、シャッタ地板１と補助地板７とカバー板３の３組の長孔１ｆ、３ｃ、７ｉを貫通しつつ、羽根アーム５ａの長孔５ｃと係合する。
【００２３】
ＭＧ地板３０は、補助地板７の軸７ａ、７ｂの先端に係合され、また、締結部３０ａ、３０ｂ、３０ｃ、３０ｄにおいて補助地板７の軸７ｃ、７ｄ、７ｅ、７ｆに取り付けられる。
【００２４】
第一マグネット３２、第一ヨーク３６、および第一コイルユニット３７は、本実施例の第一の制御部材を構成する。第一ヨーク３６は、第一マグネット３２の直径より大きい穴３６ａを有する。第一コイルユニット３７は、ボビン３７ａとその外周に巻かれたコイル３７ｂにて構成され、第一ヨーク３６に取り付けられる。コイル３７ｂは、不図示のフレキシブル基板を介してシャッタ駆動回路２０５に接続される。第一ヨーク圧着板３８は、圧着部３８ａにて第一ヨーク３６をＭＧ地板３０に光軸方向へ押しながら、押圧部３８ｂにて第一ヨーク３６の側面を押すことで、第一ヨーク３６をＭＧ地板３０の不図示の第一ヨーク当接部に押し付けて組み付けている。第一コイルユニット３７には、不図示の第一コンデンサが接続されている。
【００２５】
第二マグネット４２、第二ヨーク４６、および第二コイルユニット４７は、本実施例の第二の制御部材を構成する。第二ヨーク４６は、第二マグネット４２の直径より大きい穴４６ａを有する。第二コイルユニット４７は、ボビン４７ａとその外周に巻かれたコイル４７ｂにて構成され、第二ヨーク４６に取り付けられる。コイル４７ｂは、不図示のフレキシブル基板を介してシャッタ駆動回路２０５に接続される。第二ヨーク圧着板４８は、圧着部４８ａにて第二ヨーク４６をＭＧ地板３０に光軸方向へ押しながら、押圧部４８ｂにて第二ヨーク４６の側面を押すことで、第二ヨーク４６をＭＧ地板３０の不図示の第二ヨーク当接部に押し付けて組み付けている。第二コイルユニット４７には、不図示の第二コンデンサが接続されている。
【００２６】
なお、第一マグネット３２と第一ヨーク３６、第二マグネット４２と第二ヨーク４６は、駆動軸７ａと駆動軸７ｂの中間点を対照に配置される。
【００２７】
本実施形態の撮像装置は、一般的なメカ先幕とメカ後幕を用いた通常撮影と、メカ先幕に代えて電子先幕を用いた電子先幕撮影、の両方を行うことが出来る構成となっている。
【００２８】
まず、本実施形態の撮像装置の通常撮影について、図３のタイムチャートを用いて説明する。
【００２９】
ステップＡは撮像装置の待機状態である。第一駆動部材８と第二駆動部材９は走行前位置で保持された状態にあり、第一羽根群４は開口を閉じた状態（閉）であり、第二羽根群５は開口を開いた状態（開）である。このとき、第一コンデンサと第二コンデンサは充電されている。
【００３０】
ステップＢにおいて、ユーザーによるレリーズ動作として第２スイッチ２１１がＯＮされると、撮像素子２０３の全ての画素が電荷蓄積可能な状態となる。それと略同時に、ＣＰＵ２０４の制御によって、第一コンデンサが所定時間だけ放電する。この間、第一ヨーク３６に磁界が発生することで第一マグネット３２が作動し、第一駆動部材８が駆動される。そして、第一駆動ピン８ｂと係合している第一羽根群４が、閉から開の方向に走行する。これにより、露光開口が徐々に開けられ、撮像レンズ２０１からの光束が撮像素子２０３に到達する状態になり、１コマ目の露光が開始される。ステップＢから所定時間の後にステップＣに移る。この所定時間は撮像装置に設定された露光時間と略等しい。
【００３１】
ステップＣでは、ＣＰＵ２０４の制御によって、第二コンデンサが所定時間だけ放電する。この間、第二ヨーク４６に磁界が発生することで第二マグネット４２が作動し、第二駆動部材９が駆動される。そして、第二駆動ピン９ｂと係合している第二羽根群５が、開から閉の方向に走行する。これにより、露光開口が徐々に閉じられていく。また、ここから、第一羽根群４と第二羽根群５によるスリット露光が開始されていく。
【００３２】
ステップＤでは、第一駆動部材８の不図示の緩衝部材への接触によって、第一羽根群４が走行を停止する。このとき、第一羽根群４による遮光が無くなり、全ての画素の露光が開始される。
【００３３】
ステップＥでは、第一コンデンサが放電を停止し、再度充電される状態となる。
【００３４】
ステップＦでは、第二駆動部材９の不図示の緩衝部材への接触によって、第二羽根群５が走行を停止する。このとき、露光開口が閉じられ、撮像レンズ２０１からの光束は撮像素子２０３に到達しない状態になる。
【００３５】
ステップＧでは、第二コンデンサが放電を停止し、再度充電される状態となる。また、ＣＰＵ２０４の制御によって、撮像素子２０３は電荷蓄積を停止する。その後、ＣＰＵ２０４は撮像素子２０３の読み出しを開始し、信号処理回路２０９は撮像素子２０３の出力した画像信号に所定の処理を施した画像データを生成する。そして、上から下への露光による第一の撮像方式の画像データであること、および、連続撮影による画像データであること、を含む付加情報が付与された画像ファイルが記録部２１２に保存される。
【００３６】
ステップＨでは、２コマ目の撮影が開始される。撮像素子２０３の全ての画素が電荷蓄積可能な状態となるのと略同時に、ＣＰＵ２０４の制御によって、第二コンデンサの放電をステップＣと逆方向に行い、第二ヨーク４６に磁界を発生させて第二マグネット４２をステップＣでの回転方向と逆に作動させる。第二駆動部材９が駆動され、第二駆動ピン９ｂと係合している第二羽根群５は、ステップＡの撮像装置の待機状態と同様の位置まで、閉から開の方向に走行する。これにより、露光開口が徐々に開けられ、撮像レンズ２０１からの光束が撮像素子２０３に到達する状態になり、２コマ目の露光が開始される。ステップＨから所定時間の後にステップＩに移る。この所定時間は撮像装置に設定された露光時間と略等しい。
【００３７】
ステップＩでは、ＣＰＵ２０４の制御によって、第一コンデンサの放電をステップＢと逆方向に行い、第一ヨーク３６に磁界を発生させて第一マグネット３２をステップＢでの回転方向と逆に作動させる。これによって、第一駆動部材８が駆動され、第一駆動ピン８ｂと係合している第一羽根群４は、ステップＡの撮像装置の待機状態と同様の位置まで、開から閉の方向に走行する。これにより、露光開口が徐々に閉じられていく。また、ここから、第二羽根群５と第一羽根群４によるスリット露光が開始されていく。
【００３８】
ステップＪでは、第二駆動部材９の不図示の緩衝部材への接触によって、第二羽根群５が走行を停止する。このとき、第二羽根群５による遮光が無くなり、全ての画素の露光が開始される。
【００３９】
ステップＫでは、第二コンデンサが放電を停止し、再度充電される状態となる。
【００４０】
ステップＬでは、第一駆動部材８の不図示の緩衝部材への接触によって、第一羽根群４が走行を停止する。このとき、露光開口が閉じられ、撮像レンズ２０１からの光束は撮像素子２０３に到達しない状態になる。
【００４１】
ステップＭでは、第一コンデンサが放電を停止し、再度充電される状態となる。また、ＣＰＵ２０４の制御によって、撮像素子２０３は電荷蓄積を停止する。その後、ＣＰＵ２０４は撮像素子２０３の読み出しを開始し、信号処理回路２０９は撮像素子２０３の出力した画像信号に所定の処理を施した画像データを生成する。そして、下から上への露光による第二の撮像方式の画像データであること、および、連続撮影による画像データであること、を含む付加情報が付与された画像ファイルが記録部２１２に保存される。こうすることで、上下どちらの方向の露光によって撮影された画像かが分かるので、撮影後に好適に画像を確認することが出来る。なお、このとき、上下どちらの方向の露光によって撮影された画像かを判別するために、画像ファイルの保存フォルダを分けて保存するようにしても良い。こうすることで、例えばＰＣのような撮像装置以外の機器で撮影画像を確認する時にも、同様の効果を得ることが出来るようになる。あるいは、画像データの保存の際に、片方の撮像方式の画像データだけモニター表示用画像を作成しないことで、表示部２１３への表示を制限するようにしても良い。
【００４２】
２連写撮影の場合には、以上で撮影が完了となり、ステップＡの撮像装置の待機状態と同じ状態となる。なお、３連写撮影以上の場合には、この第一の撮像方式と第二の撮像方式の繰り返しによって連続撮影が行われる。こうすることで、１コマごとに羽根群を待機位置に戻す必要が無いので、その分の時間とエネルギーのロスが無く、高速の連写駒速を達成することが出来る、という効果がある。
【００４３】
続いて、本実施形態の撮像装置の電子先幕撮影について説明する。
【００４４】
まず、本実施形態の電子先幕撮影における露光動作について説明する。図４は、撮像素子および羽根群をレンズ側から光軸に沿って観察した様子を示す図である。図４において、３００は、撮像素子２０３の撮像面を示している。３００ａは、撮像素子２０３におけるリセット走査を行っているライン（リセットライン）を示す。リセット走査はリセットライン３００ａ上の画素の蓄積電荷量をゼロにするものであり、リセットライン３００ａは電子先幕の先端に相当する。
【００４５】
図４（ａ）は電子先幕のリセット走査および第二羽根群５のシャッタ走行が途中にあるときの状態を示している。リセットライン３００ａと第二羽根群５の先端部５００との間のスリットによって形成される領域３０４は、撮像素子２０３において露光による電荷蓄積が行われている領域（電荷蓄積領域）である。第二羽根群５が走行するとき、リセットライン３００ａは矢印Ａの方向へ走行する。電荷蓄積領域は電子先幕と第二羽根群５の走行に従って、矢印Ａの方向へ移動していく。
【００４６】
図４（ｂ）は、電子先幕のリセット走査および第一羽根群４の走行が途中にあるときの状態を示している。リセットライン３００ａと第一羽根群４の先端部４００との間のスリットによって形成される領域３０４は、撮像素子２０３において露光による電荷蓄積が行われている領域（電荷蓄積領域）である。第一羽根群４が走行するとき、リセットライン３００ａは矢印Ｂの方向へ走行する。電荷蓄積領域は電子先幕と第一羽根群４の走行に従って、矢印Ｂの方向へ移動していく。
【００４７】
撮像素子２０３内の画素において、リセットライン３００ａが通過してから、すなわち、リセット動作が開始されてから、第一羽根群４または第二羽根群５によって遮光状態となるまでの時間は、当該画素の露光による電荷蓄積時間となる。
【００４８】
撮像面２のリセットライン３００ａの移動は、垂直駆動変調回路２０８により制御される。このリセットライン３００ａの移動は図６や図７で後述するように制御され、このリセットライン３００ａの移動パターンを走査パターンと称する。この走査パターンは、撮像素子の領域（ライン）別にリセット走査が行われるタイミングを示したものということができる。
【００４９】
図５は、シャッタ制御における電子先幕のリセット走査の走査パターンと、第二羽根群および第一羽根群の走行パターンとの関係を示す図である。図５において、横軸は時間、縦軸は撮像素子の垂直方向の位置を表している。走査パターン３２１と第二羽根群の走行パターン３２２、走査パターン３３１と第一羽根群の走行パターン３３２は同一形状のカーブが描かれ、全ての撮像素子垂直位置にて適正な露光が得られる。また、図５において、第一羽根群４と第二羽根群５の走行パターンは、光軸を中心に反転させて略同一であり、電子先幕の走査パターンもそれぞれ光軸を中心に反転させて同一である。
【００５０】
次に、本実施形態の電子先幕撮影における具体的な撮像動作について、図６のタイムチャートを用いて説明する。
【００５１】
ステップＡは撮像装置の待機状態である。第一駆動部材８と第二駆動部材９は走行前位置で保持された状態にあり、第一羽根群４は開口を閉じた状態（閉）であり、第二羽根群５は開口を開いた状態（開）である。このとき、第一コンデンサと第二コンデンサは充電されている。
【００５２】
ステップＢにおいて、ユーザーによるレリーズ動作として第２スイッチ２１１がＯＮされると、ＣＰＵ２０４の制御によって、第一コンデンサが所定時間だけ放電する。この間、第一ヨーク３６に磁界が発生することで第一マグネット３２が作動し、第一駆動部材８が駆動される。そして、第一駆動ピン８ｂと係合している第一羽根群４が、閉から開の方向に走行する。第一羽根群４は、第一駆動部材８が不図示の緩衝部材に接触することで走行を停止する。これにより、露光開口が開けられ、撮像レンズ２０１からの光束が撮像素子２０３に到達する状態になる。
【００５３】
ステップＣでは、第一コンデンサが放電を停止し、再度充電される状態となる。
【００５４】
ステップＤでは、撮像素子２０３の第二羽根群５の走行方向に合わせた電子先幕走査を行うことで、１コマ目の露光が開始される。このときの電子先幕の走査パターンについては後述する。ステップＤから所定時間の後にステップＥに移る。この所定時間は撮像装置に設定された露光時間と略等しい。
【００５５】
ステップＥでは、ＣＰＵ２０４の制御によって、第二コンデンサが所定時間だけ放電する。この間、第二ヨーク４６に磁界が発生することで第二マグネット４２が作動し、第二駆動部材９が駆動される。そして、第二駆動ピン９ｂと係合している第二羽根群５が、開から閉の方向に走行する。第二羽根群５は、第二駆動部材９が不図示の緩衝部材に接触することで走行を停止する。
【００５６】
ステップＦでは、撮像素子２０３の電子先幕走査が完了し、全ての画素が電荷蓄積可能な状態となる。
【００５７】
ステップＧでは、第二羽根群５の走行が完了し、露光開口が閉じられ、撮像レンズ２０１からの光束は撮像素子２０３に到達しない状態になる。
【００５８】
ステップＨでは、第二コンデンサが放電を停止し、再度充電される状態となる。また、ＣＰＵ２０４の制御によって、撮像素子２０３は電荷蓄積を停止する。その後、ＣＰＵ２０４は撮像素子２０３の読み出しを開始し、信号処理回路２０９は撮像素子２０３の出力した画像信号に所定の処理を施した画像データを生成し、上から下への露光による第一の撮像方式の画像データであること、および、連続撮影による画像データであること、を含む付加情報が付与された画像ファイルが記録部２１２に保存される。
【００５９】
ステップＩでは、２コマ目の撮影が開始される。ＣＰＵ２０４の制御によって、第二コンデンサの放電をステップＥと逆方向に行い、第二ヨーク４６に磁界を発生させて第二マグネット４２をステップＥでの回転方向と逆に作動させる。これによって、第二駆動部材９が駆動され、第二駆動ピン９ｂと係合している第二羽根群５は、ステップＡの撮像装置の待機状態と同様の位置まで、閉から開の方向に走行する。第二羽根群５は、第二駆動部材９が不図示の緩衝部材に接触することで走行を停止する。これにより、露光開口が開けられ、撮像レンズ２０１からの光束が撮像素子２０３に到達する状態になる。
【００６０】
ステップＪでは、第二コンデンサが放電を停止し、再度充電される状態となる。
【００６１】
ステップＫでは、撮像素子２０３の第一羽根群４の走行方向に合わせた電子先幕走査を行うことで、２コマ目の露光が開始される。このときの電子先幕の走査パターンについては後述する。ステップＫから所定時間の後にステップＬに移る。この所定時間は撮像装置に設定された露光時間と略等しい。
【００６２】
ステップＬでは、ＣＰＵ２０４の制御によって、第一コンデンサの放電をステップＢと逆方向に行い、第一ヨーク３６に磁界を発生させて第一マグネット３２をステップＢでの回転方向と逆に作動させる。これによって、第一駆動部材８が駆動され、第一駆動ピン８ｂと係合している第一羽根群４は、ステップＡの撮像装置の待機状態と同様の位置まで、開から閉の方向に走行する。第一羽根群４は、第一駆動部材８が不図示の緩衝部材に接触することで走行を停止する。このように第一羽根群４も第二羽根群５も、露光の際の走行は開から閉へと移動される。また、第一マグネット３２と第一ヨーク３６、第二マグネット４２と第二ヨーク４６は、駆動軸７ａと駆動軸７ｂの中間点を対照に配置されている。これにより、本ステップＬでの第一羽根群４とステップＥでの第二羽根群５の走行パターンは、光軸を中心に反転させると略同一になる。
【００６３】
ステップＭでは、撮像素子２０３の電子先幕走査が完了し、全ての画素が電荷蓄積可能な状態となる。
【００６４】
ステップＮでは、第一羽根群４の走行が完了し、露光開口が閉じられ、撮像レンズ２０１からの光束は撮像素子２０３に到達しない状態になる。
【００６５】
ステップＯでは、第一コンデンサが放電を停止し、再度充電される状態となる。また、ＣＰＵ２０４の制御によって、撮像素子２０３は電荷蓄積を停止する。その後、ＣＰＵ２０４は撮像素子２０３の読み出しを開始し、信号処理回路２０９は撮像素子２０３の出力した画像信号に所定の処理を施した画像データを生成し、下から上への露光による第二の撮像方式の画像データであること、および、連続撮影による画像データであること、を含む付加情報が付与された画像ファイルが記録部２１２に保存される。こうすることで、上下どちらの方向の露光によって撮影された画像かが分かるので、撮影後に好適に画像を確認することが出来る。なお、このとき、上下どちらの方向の露光によって撮影された画像かを判別するために、画像ファイルの保存フォルダを分けて保存するようにしても良い。こうすることで、例えばＰＣのような撮像装置以外の機器で撮影画像を確認する時にも、同様の効果を得ることが出来るようになる。あるいは、画像データの保存の際に、片方の撮像方式の画像データだけモニター表示用画像を作成しないことで、表示部２１３への表示を制限するようにしても良い。
【００６６】
２連写撮影の場合には、以上で撮影が完了となり、ステップＡの撮像装置の待機状態と同じ状態となる。なお、３連写撮影以上の場合には、この第一の撮像方式と第二の撮像方式の繰り返しによって連続撮影が行われる。こうすることで、１コマごとに羽根群を待機位置に戻す必要が無いので、その分の時間とエネルギーのロスが無く、高速の連写駒速を達成することが出来る、という効果がある。
【００６７】
最後に、本実施形態の撮像装置の撮影画像の表示について説明する。
【００６８】
画像確認ボタンなどを押すなどのユーザーからの操作を受けると、撮像装置２００は記録部２１２内の画像ファイルを表示制御部２１６の制御によって、表示部２１３に表示する。図７は、例として左から右へ移動する球体という被写体を、連続撮影した画像ファイルを表示部２１３に表示した様子を示す図である。図７（ａ）は撮影した画像ファイルを全て使って送っていった場合、図７（ｂ）は１つおきに送っていった場合を示している。
【００６９】
一般に、本実施形態のシャッタ装置のような、羽根のスリットを用いて露光を行う撮像装置の場合、画像の上部分と下部分とで露光されるタイミングがわずかに異なる。そのため、移動する被写体を撮影すると、撮影画像にはコンニャク現象と呼ばれる被写体歪みが発生する。特に図７のように横方向に高速移動する被写体の場合、それが顕著に撮影画像に現れる。ここで、本実施形態の撮像装置においては、１コマおきに羽根の走行方向が逆になるので、その被写体歪みの影響が１コマおきに反対になり、連続撮影を行うと図７（ａ）のように交互に球体が歪んだ画像が撮影されてしまう。１枚だけを見る分には問題ないが、撮影直後の連像撮影画像の確認の際などには、ユーザーが違和感を覚える、好適に画像を選択出来ない、といった問題がある。
【００７０】
そこで、本実施形態の撮像装置においては、連続撮影の画像確認の際に、上から下か、下から上か、のどちらの撮像方式で撮影された画像かを画像ファイルの情報から判断し、図７（ｂ）のように撮影画像を１つおきに表示させる。こうすることで、２つの撮像方式のうち、片方だけの撮像方式による撮影画像だけをユーザーが確認出来るようになっている。なお、片方の撮像方式による連続撮影画像だけが格納されたフォルダを、画像確認用のフォルダとして指定することで、上記を達成しても構わない。また、このとき、例えば撮像装置に備えられた十字キーの左右で画像が１コマおきに送られ、十字キーの上下でその画像の前後のコマを表示させるようにしても良い。こうすることで、違和感無く画像が送られることで、所望の撮影タイミングを好適に選択することが出来るとともに、その前後のコマについても簡単に確認出来る、という利点がある。
【００７１】
また、画面内の移動速度が遅い被写体の場合には、被写体歪みの影響が小さく、違和感を覚えにくい。そこで、画面内の被写体の移動速度を検出して、所定値以上である場合にのみ、１コマおきの表示を行うようにしても良い。このとき、画面内の被写体の移動速度の検出は、複数の撮影画像内の被写体の位置の変化から導出しても良いし、撮像装置の内外に備えられたＡＦやＡＥなどの被写体検出手段を用いても良い。さらに、１コマおきの表示を行うかどうかを、ユーザーが任意に設定できるようにしても良い。加えて、２つの撮像方式のうち、片方だけを用いて撮影を行うことを、ユーザーが任意に設定できる（モード選択など）ようにしても良い。こうすることで、連写駒速は落ちてしまうが、例えばタイムラプス撮影などの場合に、被写体歪みやレリーズ振動などによる撮影画像への微小な影響を、極力除いて撮影することが出来る、という利点がある。
【００７２】
以上、本発明の好ましい実施形態について説明したが、本発明はこれらの実施形態に限定されない。
【００７３】
例えば、本実施形態では、１コマ目を上から下への第一の撮像方式、２コマ目を下から上への第二の撮像方式とする場合を示した。しかし、１コマ目を下から上への撮像方式とする逆の構成であっても構わない。
【００７４】
上記のように構成しても同等の作用効果が得られる。したがって、その要旨の範囲内で種々の変形および変更が可能である。
【符号の説明】
【００７５】
４  第一羽根群、５  第二羽根群、２０２  シャッタ装置、２０３  撮像素子、
２１２  記録部、２１３  表示部、２１６  表示制御部
【図１】
2020030258.tif 000003
【図２（ａ）】
2020030258.tif 000004
【図２（ｂ）】
2020030258.tif 000005
【図３】
2020030258.tif 000006
【図４（ａ）】
2020030258.tif 000007
【図４（ｂ）】
2020030258.tif 000008
【図５】
2020030258.tif 000009
【図６】
2020030258.tif 000010
【図７】
2020030258.tif 000011